(57)【特許請求の範囲】
【請求項１】
定形の切符、カード、札等（以下切符等という）に用いられる自動券売機において、券売機の内部に、誤購入切符等を挿入するための切符出口即ち誤購入切符挿入口が切符搬送ベルトに近接して設けられ、前記切符搬送ベルトに同期して回転するプーリと、ゴム製Ｏリングが外周に取り付けられ前記プーリと所定の隙間を隔てて前記切符等を搬送しない方向にのみ自由に回転可能で揺動支点を中心に揺動可能なワンウェイクラッチとが設けられ、前記誤購入切符挿入口の近傍に切符挿入検知センサが付設されていて、かつ、切符長検出用センサを具備し、前記誤購入切符等が前記誤購入切符挿入口に挿入されたとき引込みが開始され、前記切符長検出用センサが前記誤購入切符等の切符長が１枚分でないのを検出した場合、又は、前記誤購入切符等がもう一枚連続で来ているのを検出した場合は、前記誤購入切符等が２枚以上重なって挿入されたと判断することにより、前記誤購入切符等が２枚以上重なって挿入されたときは、前記ワンウェイクラッチが前記切符等を搬送可能に回転しないため重ねられた切符等がずれて切符等の多重挿入ができないようにした誤購入切符等の多重挿入防止機能を付加したことを特徴とする誤購入切符等の多重挿入防止機能付き自動券売機。
【発明の詳細な説明】
【０００１】
【発明の属する技術分野】
本発明は定形の切符、カード、札等（以下切符等という）に用いられる自動券売機に関する。
【０００２】
【従来の技術】
駅の自動券売機で切符等を購入して、切符等を買い間違えた（誤購入）場合に、その駅内であれば全額払い戻しができるようになっている自動券売機がある。
通常、その誤購入切符等を自動券売機の切符出口に挿入することで、券売機内に切符等を取り込み、切符等の裏面の磁気情報を読み取って、払戻し条件に合えば券売機のおつり返却口へ払戻しがされ、一方条件に合わない場合は切符等が客に返却される。
一般に自動券売機内の誤購入切符等の処理は、通常発売される切符等の機構を利用しており、切符等が１枚のときに正常な処理が行われる。
そのような従来の券売機内部の誤購入切符等の払戻し機能について図３を参照して説明する。
図３は従来の誤購入切符等の多重挿入防止操作を示すもので、（Ａ）は側面図、（Ｂ）は切符等が２枚ずらして挿入される状態の側面図である。
図３において、１は誤購入切符等、２は切符出口即ち誤購入切符挿入口、３は切符搬送ベルト、４はストッパ、５はストッパの揺動支点である。
図３において、ストッパ４はＢ方向に回転しないため、
誤購入切符等の１枚の厚さ＜隙間Ｃ＜切符等の２枚の厚さ
とすることで、誤購入切符等１は１枚しか入らない。
なお、Ａ方向への回転は、切符等の複数発売やカールした切符等を発売するために必要となる。
【０００３】
【発明が解決しようとする課題】
ところが、図３（Ａ）（Ｂ）のように、２枚の誤購入切符等１を払戻して貰うため切符等１を誤購入切符挿入口２に挿入するとき、切符等１がずらして挿入されると、切符等１は簡単に重なったまま券売機に取り込まれる（一旦Ａ方向へ回転すると、隙間Ｃがいくらでも大きくなるため）。
又、複数枚の切符等を購入した場合、複数枚まとめて払い戻ししようとすることも多く、重なったまま搬送されることで、１枚分の磁気情報を読み取れず返却額が少なかったり、もともと１枚用に設計されている機構に無理に通すことで機械に悪影響があったり、切符詰まりの原因になる。なお、券売機では、切符出口付近のみ複数枚の対応がなされている。
そこで、誤購入切符等の多重挿入防止の必要があるという問題があった。
【０００４】
【課題を解決するための手段】
本発明は、上述の問題を解決するために、
定形の切符、カード、札等（以下切符等という）に用いられる自動券売機において、
券売機の内部に、誤購入切符等を挿入するための切符出口即ち誤購入切符挿入口が切符搬送ベルトに近接して設けられ、前記切符搬送ベルトに同期して回転するプーリと、ゴム製Ｏリングが外周に取り付けられ前記プーリと所定の隙間を隔てて前記切符等を搬送しない方向にのみ自由に回転可能で揺動支点を中心に揺動可能なワンウェイクラッチとが設けられ、前記誤購入切符挿入口の近傍に切符挿入検知センサが付設されていて、かつ、切符長検出用センサを具備し、前記誤購入切符等が前記誤購入切符挿入口に挿入されたとき引込みが開始され、前記切符長検出用センサが前記誤購入切符等の切符長が１枚分でないのを検出した場合、又は、前記誤購入切符等がもう一枚連続で来ているのを検出した場合は、前記誤購入切符等が２枚以上重なって挿入されたと判断することにより、前記誤購入切符等が２枚以上重なって挿入されたときは、前記ワンウェイクラッチが前記切符等を搬送可能に回転しないため重ねられた切符等がずれて切符等の多重挿入ができないようにした誤購入切符等の多重挿入防止機能を付加したことを特徴とする誤購入切符等の多重挿入防止機能付き自動券売機を提供しようとするものである。
【０００５】
【発明の実施の形態】
以下、本発明による誤購入切符等の多重挿入防止機能付き自動券売機の実施の形態について図１及び図２を参照して説明する。
図１は、本発明による自動券売機の誤購入切符等の多重挿入防止機能を示すもので、（Ａ）は多重挿入防止機構部の側面図、（Ｂ）は切符等が２枚重なって挿入される状態の側面図、
図２は、本発明による自動券売機の誤購入切符等の多重挿入防止操作を示すフローチャートである。
【０００６】
まず、本発明による誤購入切符等の多重挿入防止機能付き自動券売機は、機能について、図１を参照して説明する。
定形の切符、カード、札等（以下切符等という）に用いられる自動券売機において（以下、前記切符等について、ここでは切符のみについて説明する）、
本発明による誤購入切符等の多重挿入防止機能付き自動券売機は、
券売機の内部に、誤購入切符１１を挿入するための切符出口即ち誤購入切符挿入口１２が切符搬送ベルト１３に近接して設けられ、前記切符搬送ベルト１３に同期して回転するプーリ１４と、ゴム製Ｏリング１７が外周に取り付けられ前記プーリ１４と所定の隙間Ｄを隔てて前記切符１１を搬送しない方向にのみ自由に回転可能で揺動支点１６を中心に揺動可能なワンウェイクラッチ１５とが設けられ、前記誤購入切符挿入口１２の近傍に切符挿入検知センサ１８が付設されていて、前記誤購入切符１１が前記誤購入切符挿入口１２に挿入されたとき引込みが開始され、前記誤購入切符１１が２枚以上重なって挿入されたときは、前記ワンウェイクラッチ１５が前記切符１１を搬送可能に回転しないため重ねられた切符１１がずれて切符１１の多重挿入ができないようにした誤購入切符等の多重挿入防止機能を付加したものである。
【０００７】
ゴム製Ｏリング１７は、Ｏリングがゴム製のため摩擦が大である。
切符搬送ベルト１３の近傍には切符長検出用センサ１９が設けられており、切符が図１（Ａ）の機構部を通過後、切符長検出用センサ１９により切符長を検出すれば、１枚のみの挿入かどうかが分かるので、１枚のときのみ券売機に取込み、払戻しが行われる。
図１（Ａ）の機構部により、切符１１が重ねられて挿入されると、図１（Ｂ）に示すように、搬送速度より小さくなる（Ｏリングとの摩擦大のため）ため、切符をずらすことができる（上下切符の速度差ができる）。
【０００８】
ついで、本発明による自動券売機の誤購入切符等の多重挿入防止操作について、図２を参照して説明する。
（１）誤購入切符１１を挿入すれば、
（２）切符挿入検知センサ１８が作動し、
（３）誤購入切符１１の引込みが開始され、
（４）重ねられた切符は、図１（Ｂ）の機構によりずれ、
（５）切符長検出用センサ１９により、切符長が１枚分かを検知して、
（６）１枚分でなければ挿入切符は返却され、
（７）１枚分であれば、もう１枚連続で来てないかを検知して、
（８）連続して来ていれば、挿入切符は返却されるか又は発売中止にされ、
（９）連続して来てなければ、内部に取込まれ、
（１０）磁気情報が払戻し条件と一致しているかをチェックして、
（１１）一致していなければ、挿入切符は返却され、
（１２）一致していれば払戻しされる。
【０００９】
【発明の効果】
本発明による誤購入切符等の多重挿入防止機能付き自動券売機は、上述のように構成されているので、下記の効果がある。
▲１▼客には、切符等が１枚ずつの挿入であることも認知してもらえる。
▲２▼券売機としても、機構的に無理がかからず、又、詰まりも防止でき、正しく作動させることができる。
【図面の簡単な説明】
【図１】本発明による自動券売機の誤購入切符等の多重挿入防止機能を示すもので、（Ａ）は多重挿入防止機構部の側面図、（Ｂ）は切符等が２枚重なって挿入される状態の側面図である。
【図２】本発明による自動券売機の誤購入切符等の多重挿入防止操作を示すフローチャートである。
【図３】従来の誤購入切符等の多重挿入防止操作を示すもので、（Ａ）は側面図、（Ｂ）は切符等が２枚ずらして挿入される状態の側面図である。
【符号の説明】
１１：誤購入切符
１２：切符出口即ち誤購入切符挿入口
１３：切符搬送ベルト
１４：プーリ
１５：ワンウェイクラッチ
１６：ワンウェイクラッチの揺動支点
１７：ゴム製Ｏリング
１８：切符挿入検知センサ
１９：切符長検出用センサ
Ｄ：隙間
【図１】
0003852197.tif 000002
【図２】
0003852197.tif 000003
【図３】
0003852197.tif 000004